(57)【要約】      （修正有）【課題】鋼管矢板井筒基礎止水工事において、継手部内に充填した止水モルタルの空隙から漏水する欠点をなくする。【解決手段】筒状布帛（＝ジャケット）の下部に開口部のある先端金具４を装着し、注入した止水モルタルが、継手部の底の外周および先端部に流れ出て、本体モルタル上部を充填し、付着結合することが出来る止水モルタル注入資材の構造とする。まず先端金具４と注入金具９とをロックピン７で結合して一体化した後、継手部内に挿入し、底部の本体モルタルに先端金具４が突き当たるまで下方向に押し込んだ後、止水モルタルを初期注入する。外周部分および先端部分に止水モルタルを充填した段階で、先端金具およびこれと一体化したジャケット５を継手部内に残し、注入パイプ先端に装着した注入金具だけをロックピン７の部分ではずし上方向に抜きながら、ジャケット内部に止水モルタルを連続注入する。【選択図】図２
0003101553.tif 000002
【実用新案登録請求の範囲】
【請求項１】
（１）筒状布帛（＝ジャケット）の先端部分に、止水モルタルを初期注入の際、筒状布帛先端より先端部分および外周部分にモルタルを押し出す開口部のある先端金具と、（２）注入する止水モルタルの内圧により２０％以上膨張する合成繊維の筒状布帛と先端金具とを布帛締め付けバンドで緊結一体化し、（３）止水モルタル注入パイプの先端に装着した注入金具を、上記先端金具の中に差込み、止水モルタルを先端部分および外周部分に注入完了まで両者をロックピンで結合した状態にして、初期注入が完了した後、先端金具と注入金具とを脱着出来る鋼管矢板井筒基礎止水工法のジャケットセット。
【請求項２】
継手部の底部まで挿入する先端金具には、ロックピンを固定し、先端金具と注入金具とをロックピン部分で結合しておき、先端金具の開口部より先端部分および外周部分に止水モルタルを初期注入する。ついで初期注入完了後止水モルタル注入パイプの先端に装着した注入金具を引き上げることによって、両金具が脱着出来る構造の先端金具を有するジャケットセット。
【請求項３】
注入金具には、U字型の切り込みを設け、この部分にロックピンを挟み込み、先端金具と結合した状態で上部より継手部内の底部の本体モルタルに突き当たるまで挿入する。ついで外周部分および先端部分に対する止水モルタルの初期注入が完了した後、上記の両金具を切り離（＝脱着）して、ジャケットの中に注入パイプの先端に装着した注入金具を通して止水モルタルを注入しながら、注入パイプを徐徐に上部に引き抜きが出来る構造の注入金具を有するジャケットセット。
【請求項４】
筒状の布帛としては、（１）ジャケットセットを継手部の最下部の本体モルタルに突き当たるまで挿入する過程で、継手部の側壁面との摩擦により破れないこと、さらに（２）止水モルタル注入による内圧力で破断しないこと、前記（１）と（２）とを満足するために、経方向×緯方向ともに２０ｋｇ/３ｃｍ以上の強さがあることが必要である。さらに、モルタル注入圧力により２０％以上の伸びがあり、モルタルの水成分は布帛の間隙から筒外に抜け出るが、砂・セメント成分は殆ど筒外に抜け出ない布帛間隙０．５ｍｍ以下の合成繊維からなる織物または編物を用いたジャケットセット。
【考案の詳細な説明】
【技術分野】
【０００１】
本考案は、鋼管矢板井筒基礎止水工法の止水モルタル注入資材に関するものである。    
【背景技術】
【０００２】
従来は、筒状の布帛の先端を縫い合わせ、または結び合わせて袋状にしたものを、注入パイプと共に継手部に挿入し、止水モルタルを注入していた。
【考案の開示】
【考案が解決しようとする課題】
【０００３】
従来の鋼管矢板井筒基礎止水工法では、袋状の布帛を注入パイプで継手部に挿入する作業の際、継手部内面と注入パイプに挟まれた布帛が摩擦によりしばしば穴があくことがあるが、穴があいても確認は出来ない。  穴があくと、上部より注入パイプをとおして止水モルタルを注入しても、穴の部分よりの漏れ出しが大きく、モルタルが充填されない箇所が発生する。  
更に、従来の工法では、継手部の底の本体モルタルに布帛袋が突き当たっているか不明確であり、また布帛袋の下端の外周および先端部分に、モルタルが充填出来ないため、止水部の下部端に空洞部ができここから漏水するという問題点がある。
【課題を解決するための手段】
【０００４】
継手部内に挿入した筒状布帛の外周部分及び先端部分にも止水モルタルを充填することにより、漏水を防止する。
また注入パイプに装着した注入金具および先端金具の使用することにより、筒状布帛（＝ジャケット）を継手部へ垂直に挿入出来る為、筒状布帛と継手部との摩擦による穴あきを減少できるように工夫した。
さらに、筒状布帛の下部に開口部のある先端金具を装着し、注入した止水モルタルが外周部分および先端部分に流れ出て、本体モルタル上部を充填し付着結合することが出来る構造にした。
本考案による止水モルタル注入資材を用いる作業方法を以下説明する。外部で注入パイプの先端に装着した注入金具と先端金具とをロックピンで結合して一体化したジャケットセットを、継手部内に挿入し、低部の本体モルタルに先端金具が突き当たるまで下方向に押し込んだ後、止水モルタルを初期注入する。次いで、初期注入により、外周部分および先端部に止水モルタルを充填した段階で、ジャケットセットのうち先端金具およびこれと一体化したジャケットを継手部内に残し、注入金具だけをロックピンの部分ではずし上方向に抜きながら、ジャケット部に止水モルタルを連続注入する。
以上に記載した止水作業を実施するに適した資材として、以下で鋼管矢板井筒基礎止水工法の止水モルタル注入資材をさらに具体的に説明する。
（１）筒状布帛（＝ジャケット）の先端部部分に、止水モルタルを初期注入の際、筒状布帛の先端より先端部分および外周にモルタルを押し出す開口部のある先端金具と、（２）注入する止水モルタルの内圧により２０％以上膨張する合成繊維の筒状布帛と先端金具とを布帛締め付けバンドで緊結一体化し、（３）注入パイプの先端に装着した注入金具を、上記先端金具の中に差込みロックピンで結合した状態で、止水モルタルを継手部の先端（＝底）部分および外周部分を充填するまで初期注入し、初期注入が完了した後、先端金具と注入金具とを脱着できる構造にする。
継手部の底部まで挿入した先端金具には、ロックピンを固定し、先端金具と注入金具とをロックピン部分で結合しておき、先端金具の開口部より先端部分および外周部分に止水モルタルを初期注入する。ついで、初期注入完了後注入パイプの先端に装着した注入金具を引き上げることによって、両金具が脱着できる構造とする。
注入金具にはU字型の切込をもうけ、この部分にロックピンを挟み込み、先端金具と結合した状態で上部より継手部内の底部の本体モルタルに突き当たるまで挿入する。  ついで外周部分および先端部分にたいする止水モルタル初期注入が完了した後、上記の両金具を切り離し（＝脱着）して、ジャケット（＝筒状布帛）の中に注入パイプの先端に装着した注入金具を通して下部から止水モルタルを注入しながら注入パイプを徐徐に上部に引き抜くことが出来る構造とする。  筒状布帛としては、（１）ジャケットセットを継手部の最下部の本体モルタルに突き当たるまで挿入する過程で、継手部の側壁面との摩擦により破れないこと、さらに（２）止水モルタル注入による内圧力で破断しないこと、上記（１）および（２）を満足するために、経方向、緯方向ともに２０Kg/3cm以上の引張強さが必要である。
さらに、ジャケットセットを継手部に挿入する段階では外径が比較的細く挿入操作が容易であり、モルタルを注入した段階で、継手部内で膨張する機能を保持するため、モルタル注入圧力により２０％以上膨張することが望ましい。  また、モルタルの水成分は筒状布帛外に抜け出るが、砂・セメント成分は殆ど筒状布帛外に抜け出ない布帛間隙０．５ｍｍ以下の合成繊維からなる織物または編物を用いる。
【考案の効果】
【０００５】
河川の橋梁基礎工事で鋼管矢板井筒基礎止水工法において、鋼管を３２本使用した井筒内断面積約１００ｍ２の実例では、従来工法による漏水量が約１ｍ３/分であったのに比較して、本考案によるジャケットセットを用いた工事の場合は約０・１３ｍ３/分であり、漏水量を約７分の１に減少することができる。
【実施例】
【０００６】
本考案に基く実施例を以下に示す。何れも継手部からの漏水少なくなく良好であった。
【０００７】
【表１】
0003101553.tif 000003
【図面の簡単な説明】
【０００８】
【図１】鋼管矢板井筒の断面図である。
【図２】ジャケットセットの断面図である。
【図３】ジャケットセットの内、注入パイプおよび注入金具を脱着した状態の断面図でる。
【図４】先端金具の断面図および側面図である。
【図５】注入金具の断面図および側面図である。
【符号の説明】
【０００９】
１  鋼管矢板井筒
２  継手部
３  ジャケットを挿入して、止水モルタルを注入する部分
４  先端金具
５  筒状布帛（＝ジャケット）
６  注入パイプ
７  ロックピン
８  筒状布帛締め付けバンド（＝インシュロックタイ等）
９  注入金具
10  切込
先端金具開口部
A  先端金具外径
B  先端金具内径
C  先端金具長さ
D  先端金具ロックピン長さ
E  先端金具ロックピン太さ
F  注入金具下部外径
G  注入パイプ外径
H  注入金具下部内径
I  注入パイプ内径
J  注入金具挿入部長さ
K  注入金具切込長さ
L  注入金具切込巾
M  先端開口部直径
【図１】
0003101553.tif 000004
【図２】
0003101553.tif 000005
【図３】
0003101553.tif 000006
【図４】
0003101553.tif 000007
【図５】
0003101553.tif 000008
【手続補正書】
【提出日】平成15年12月17日(2003.12.17)
【手続補正１】
【補正対象書類名】実用新案登録請求の範囲
【補正対象項目名】全文
【補正方法】変更
【補正の内容】
【実用新案登録請求の範囲】
【請求項１】
（１）ジャケットの先端部分に、止水モルタルを初期注入の際、ジャケット先端より先端部分および外周部分にモルタルを押し出す開口部のある先端金具と、（２）注入する止水モルタルの内圧により２０％以上膨張する合成繊維のジャケットと先端金具とをジャケット締め付けバンドで緊結一体化し、（３）止水モルタル注入パイプの先端に装着した注入金具を、上記先端金具の中に差込み、止水モルタルを先端部分および外周部分に注入完了まで両者をロックピンで結合した状態にして、初期注入が完了した後、先端金具と注入金具とを分離出来る鋼管矢板井筒基礎止水工法のジャケットセット。
【請求項２】
請求項１に規定したジャケットセットの内、継手部の底部まで挿入する先端金具には、ロックピンを固定し、先端金具と注入金具とをロックピン部分で結合しておき、先端金具の開口部より先端部分および外周部分に止水モルタルを初期注入し、ついで初期注入完了後止水モルタル注入パイプの先端に装着した注入金具を引き上げることによって、両金具が分離出来る構造の先端金具を有するジャケットセット。
【請求項３】
請求項１に規定したジャケットセットの内、注入金具には、U字型の切り込みを設け、この部分にロックピンを挟み込み、先端金具と結合した状態で上部より継手部内の底部の本体モルタルに突き当たるまで挿入し、ついで外周部分および先端部分に対する止水モルタルの初期注入が完了した後、上記の両金具を分離して、ジャケットの中に注入パイプの先端に装着した注入金具を通して止水モルタルを注入しながら、注入パイプを徐徐に上部に引き抜きが出来る構造の注入金具を有するジャケットセット。
【請求項４】
請求項１に規定したジャケットセットの内、ジャケットとしては、（１）ジャケットセットを継手部の最下部の本体モルタルに突き当たるまで挿入する過程で、継手部の側壁面との摩擦により破れないこと、さらに（２）止水モルタル注入による内圧力で破断しないこと、前記（１）と（２）とを満足するために、経方向×緯方向ともに２０ｋｇ/３ｃｍ以上の強さがあることが必要であり、さらに、モルタル注入圧力により２０％以上の伸びがあり、モルタルの水成分はジャケットの間隙から外に抜け出るが、砂・セメント成分は殆ど外に抜け出ない間隙０．５ｍｍ以下の合成繊維からなる筒状の織物または編物を用いたジャケットセット。
【手続補正２】
【補正対象書類名】明細書
【補正対象項目名】全文
【補正方法】変更
【補正の内容】
【考案の詳細な説明】
【技術分野】
【０００１】
本考案は、鋼管矢板井筒基礎止水工法の止水モルタル注入資材に関するものである。    
【背景技術】
【０００２】
従来は、ジャケットの先端を縫い合わせ、または結び合わせて袋状にしたものを、注入パイプと共に継手部に挿入し、止水モルタルを注入していた。
【考案の開示】
【考案が解決しようとする課題】
【０００３】
従来の鋼管矢板井筒基礎止水工法では、ジャケットを注入パイプで継手部に挿入する作業の際、継手部内面と注入パイプに挟まれたジャケットが摩擦によりしばしば穴があくことがあるが、穴があいても確認は出来ない。  穴があくと、上部より注入パイプをとおして止水モルタルを注入しても、穴の部分よりの漏れ出しが大きく、モルタルが充填されない箇所が発生する。  
更に、従来の工法では、継手部の底の本体モルタルにジャケットが突き当たっているか不明確であり、またジャケットの下端の外周および先端部分に、モルタルが充填出来ないため、止水部の下部端に空洞部ができここから漏水するという問題点がある。
【課題を解決するための手段】
【０００４】
継手部内に挿入したジャケットの外周部分及び先端部分にも止水モルタルを充填することにより、漏水を防止する。
また注入パイプに装着した注入金具および先端金具を用することにより、ジャケットを継手部へ垂直に挿入出来る為、ジャケットと継手部との摩擦による穴あきを減少できるように工夫した。
さらに、ジャケットの下部に開口部のある先端金具を装着し、注入した止水モルタルが外周部分および先端部分に流れ出て、本体モルタル上部を充填し付着結合することが出来る構造にした。
本考案による止水モルタル注入資材を用いる作業方法を以下説明する。  外部で注入パイプの先端に装着した注入金具と先端金具とをロックピンで結合して一体化したジャケットセットを、継手部内に挿入し、低部の本体モルタルに先端金具が突き当たるまで下方向に押し込んだ後、止水モルタルを初期注入する。  次いで、初期注入により、外周部分および先端部に止水モルタルを充填した段階で、ジャケットセットのうち先端金具およびこれと一体化したジャケットを継手部内に残し、注入金具だけをロックピンの部分ではずし上方向に抜きながら、ジャケット部に止水モルタルを連続注入する。
以上に記載した止水作業を実施するに適した資材として、以下で鋼管矢板井筒基礎止水工法の止水モルタル注入資材をさらに具体的に説明する。
（１）ジャケットの先端部部分に、止水モルタルを初期注入の際、ジャケットの先端より先端部分および外周にモルタルを押し出す開口部のある先端金具と、（２）注入する止水モルタルの内圧により２０％以上膨張する合成繊維のジャケットと先端金具とをジャケット締め付けバンドで緊結一体化し、（３）注入パイプの先端に装着した注入金具を、上記先端金具の中に差込みロックピンで結合した状態で、止水モルタルを継手部の底に相当する先端部分および外周部分を充填するまで初期注入し、初期注入が完了した後、先端金具と注入金具とを分離できる構造にする。
継手部の底部まで挿入した先端金具には、ロックピンを固定し、先端金具と注入金具とをロックピン部分で結合しておき、先端金具の開口部より先端部分および外周部分に止水モルタルを初期注入する。ついで、初期注入完了後注入パイプの先端に装着した注入金具を引き上げることによって、両金具が分離できる構造とする。
注入金具にはU字型の切り込みをもうけ、この部分にロックピンを挟み込み、先端金具と結合した状態で上部より継手部内の底部の本体モルタルに突き当たるまで挿入する。          ついで外周部分および先端部分にたいする止水モルタル初期注入が完了した後、上記の両金具を分離して、ジャケットの中に注入パイプの先端に装着した注入金具を通して下部から止水モルタルを注入しながら注入パイプを徐徐に上部に引き抜くことが出来る構造とする。  ジャケットとしては、（１）ジャケットセットを継手部の最下部の本体モルタルに突き当たるまで挿入する過程で、継手部の側壁面との摩擦により破れないこと、さらに（２）止水モルタル注入による内圧力で破断しないこと、上記（１）および（２）を満足するために、経方向、緯方向ともに２０Ｋｇ/3ｃｍ以上の引張強さが必要である。
さらに、ジャケットセットを継手部に挿入する段階では外径が比較的細く挿入操作が容易であり、モルタルを注入した段階で、継手部内で膨張する機能を保持するため、モルタル注入圧力により２０％以上膨張することが望ましい。  また、モルタルの水成分はジャケット外に抜け出るが、砂・セメント成分は殆ど外に抜け出ない間隙０．５ｍｍ以下の合成繊維からなる筒状の織物または編物を用いる。
【考案の効果】
【０００５】
河川の橋梁基礎工事で鋼管矢板井筒基礎止水工法において、鋼管を３２本使用した井筒内断面積約１００ｍ２の実例では、従来工法による漏水量が約１ｍ３/分であったのに比較して、本考案によるジャケットセットを用いた工事の場合は約０・１３ｍ３/分であり、漏水量を約７分の１に減少することができた。
【実施例】
【０００６】
本考案に基づく実施例を以下に示す。何れも継手部からの漏水が少なく良好であった。
【０００７】
【表１】
0003101553.tif 000009
【図面の簡単な説明】
【０００８】
【図１】鋼管矢板井筒の断面図である。
【図２】ジャケットセットの断面図である。
【図３】ジャケットセットの内、注入パイプおよび注入金具を分離した状態の断面図である。
【図４】先端金具の断面図および側面図である。
【図５】注入金具の断面図および側面図である。
【符号の説明】
【０００９】
１  鋼管矢板井筒
２  継手部
３  ジャケットセットを挿入して、止水モルタルを注入する部分
４  先端金具
５  ジャケット
６  注入パイプ
７  ロックピン
８  ジャケット締め付けバンド
９  注入金具
10  切り込み
11  先端金具開口部
A  先端金具外径
B  先端金具内径
C  先端金具長さ
D  先端金具ロックピン長さ
E  先端金具ロックピン太さ
F  注入金具下部外径
G  注入パイプ外径
H  注入金具下部内径
I  注入パイプ内径
J  注入金具挿入部長さ
K  注入金具切込長さ
L  注入金具切込巾
M  先端開口部直径
【手続補正３】
【補正対象書類名】図面
【補正対象項目名】図１
【補正方法】変更
【補正の内容】
【図１】
0003101553.tif 000010